(57)【要約】【課題】大きな外部結合を確保するとともに、誘電体ブロック内に構成する共振器の共振周波数とは独立して所定の外部結合を得られるようにした誘電体フィルタ、誘電体デュプレクサおよびそれらを備えた通信装置を構成する。【解決手段】外形が略六面体形状を成し、その六面のうち対向する二面を貫通する孔２ａ，２ｂ，２ｃを有する誘電体ブロック１を用い、孔２ａ，２ｂ，２ｃの内面に内導体を形成し、誘電体ブロック１の外面に外導体４および入出力電極５ａ，５ｃを形成する。孔２ａ，２ｃの一方の開口端から孔内部へは所定深さだけ内導体非形成部ｇを設け、誘電体ブロック１の実装面から孔２ａ，２ｂ，２ｃの開口面にかけて入出力電極５ａ，５ｃを形成するとともに、これらの入出力電極５ａ，５ｃを、その端縁の一部が孔２ａ，２ｃの開口端を所定周長に亘って臨むように配置する。【選択図】　図１
2004015113.tif 000002
【特許請求の範囲】
【請求項１】
外形が略六面体形状を成し、該六面のうち対向する二面を貫通する互いに略平行な複数の孔を有する誘電体ブロックと、該誘電体ブロックの外面に形成した外導体と、前記孔の内面に形成した内導体とを備えた誘電体フィルタにおいて、
前記孔の少なくとも一方の開口端から孔内部へ所定深さだけ内導体非形成部を設け、前記誘電体ブロックの実装面から、前記孔の開口面にかけて、外導体および内導体から絶縁した入出力電極を形成するとともに、前記入出力電極の端縁の一部が、前記孔の前記内導体非形成部を設けた側の開口端を所定周長に亘って臨むように、当該入出力電極の形成範囲を定めたことを特徴とする誘電体フィルタ。
【請求項２】
前記孔は３つ以上存在し、前記入出力電極の端縁の一部が、前記複数の孔の前記内導体非形成部を設けた側の開口端をそれぞれ所定周長に亘って臨むように、当該入出力電極の形成範囲を定めた請求項１に記載の誘電体フィルタ。
【請求項３】
前記孔の開口面には、当該開口面以外の面に形成されている前記外導体から絶縁された、前記入出力電極以外の電極を設けた請求項１または２に記載の誘電体フィルタ。
【請求項４】
請求項１〜３のいずれかに記載の誘電体フィルタにおいて、それぞれ異なった孔の内導体非形成部により開放された内導体の開放端付近との間で静電容量が生じる３つの入出力電極を設けた誘電体デュプレクサ。
【請求項５】
請求項１〜３のいずれかに記載の誘電体フィルタまたは、請求項４に記載の誘電体デュプレクサを備えた通信装置。
【発明の詳細な説明】
【０００１】
【発明の属する技術分野】
この発明は誘電体ブロックの内外に導電体膜や電極を形成して成る誘電体フィルタ、誘電体デュプレクサおよびそれらを備えた通信装置に関するものである。
【０００２】
【従来の技術】
外形が略六面体形状を成す誘電体ブロックを用いた誘電体フィルタは、誘電体ブロックの六面のうち対向する二面を貫通する互いに略平行な複数な孔を有し、これらの孔の内面に内導体を形成し、誘電体ブロックの外面に外導体を形成することによって、複数の共振器を構成している。
【０００３】
このような誘電体ブロックを用いた誘電体フィルタのうち、実装基板に対して表面実装可能な誘電体フィルタは、誘電体ブロックの実装面に入出力電極を形成している。
【０００４】
誘電体ブロックに構成した複数の共振器と上記入出力電極とは、通常静電容量により結合させている。特に、孔の開口面から実装面にかけて入出力電極を形成したものとして特開平７−０６６６０８が開示されている。
【０００５】
その誘電体フィルタの構成例を図１４に示す。図１４の（Ａ）は外観斜視図、（Ｂ）は（Ａ）におけるＡ−Ａ′部分の断面図である。この例では、誘電体ブロック１に３つの孔２ａ，２ｂ，２ｃを設け、それらの内面に内導体を形成し、誘電体ブロック１の外面に外導体４を形成している。孔２ａ〜２ｃの一方の開口面（図１４の（Ａ）における左手前の面）から実装面（同図における上面）にかけて入出力電極５ａ，５ｃを形成している。また、この孔の開口端から孔内部へ所定深さだけ内導体非形成部ｇを設けて、この部分で内導体を開放している。
【０００６】
【発明が解決しようとする課題】
上記公報に示されているように、孔の開口面から実装面にかけて入出力電極を形成すれば、内導体の開放端付近と入出力電極との間に生じる静電容量を大きく稼ぐことができ、大きな外部結合をとることができる。
【０００７】
ところが、図１４に示したように、孔２ａ，２ｃの一方の開口端の全周囲を囲むように入出力電極に５ａ，５ｃを形成しているので、内導体３ｃの開放端と入出力電極５ｃとの間に生じる静電容量が或る範囲に限定されてしまう。すなわち、この静電容量は、内導体３ｃの開放端付近と入出力電極５ｃとの間の対向面積や間隔によって定まるので、その静電容量を変えるためには、内導体非形成部ｇ部分の深さを調節して、内導体３ｃの開放端付近と入出力電極５ｃとの間隔を定めることになる。しかし、その結果、内導体３ｃの軸長（孔２ｃの貫通方向への内導体３ｃの長さであり、この内導体３ｃは共振器の主要部を構成するので、この長さを共振器長と呼ぶこともできる。）が変化してしまう。すなわち、外部結合の調整により共振周波数も変化してしまう。従って外部結合の採り得る自由度が低いという問題があった。
【０００８】
この発明の目的は、大きな外部結合を確保するとともに、誘電体ブロック内に構成する共振器の共振周波数とは独立して所定の外部結合を得られるようにした誘電体フィルタ、誘電体デュプレクサおよびそれらを備えた通信装置を提供することにある。
【０００９】
【課題を解決するための手段】
この発明の誘電体フィルタは、外形が略六面体形状を成し、該六面のうち対向する二面を貫通する互いに略平行な複数の孔を有する誘電体ブロックと、該誘電体ブロックの外面に形成した外導体と、前記孔の内面に形成した内導体とを備え、前記孔の少なくとも一方の開口端から孔内部へ所定深さだけ内導体非形成部を設け、誘電体ブロックの実装面から、孔開口面にかけて、外導体および内導体から絶縁した入出力電極を形成するとともに、入出力電極の端縁の一部が、内導体非形成部を設けた側の孔開口端を所定周長に亘って臨むように、入出力電極の形成範囲を定めたことを特徴としている。このような構造により、内導体の開放端付近と入出力電極との間の静電容量は、入出力電極の端縁の一部が孔の開口端を臨む周長によって定める。
【００１０】
また、この発明の誘電体フィルタは、前記孔を３つ以上設け、入出力電極の端縁の一部を、複数の孔の内導体非形成部を設けた側の開口端をそれぞれ所定周長に亘って臨むように形成する。この構造により、複数の内導体の開放端付近との間でそれぞれ容量性結合する入出力電極をマルチパス電極として作用させる。
【００１１】
また、この発明の誘電体フィルタは、前記孔の開口面に、当該開口面以外の面に形成されている外導体から絶縁された、入出力電極以外の電極を設ける。この構造により、孔の開口面の電極で共振器間の結合を図る。
【００１２】
この発明の誘電体デュプレクサは、上記何れかの構造を備えた誘電体フィルタにおいて、内導体非形成部により開放された内導体の開放端付近との間で静電容量が生じる３つの入出力電極を設けたことを特徴としている。この構造により、３つの入出力電極のそれぞれを例えば送信信号入力端子、アンテナ端子、受信信号出力端子とする送受共用器として作用させる。
【００１３】
この発明の通信装置は、前記何れかの構造からなる誘電体フィルタまたは誘電体デュプレクサを備えたことを特徴としている。例えば送信信号または受信信号の信号処理部の高周波フィルタとして用いる。
【００１４】
【発明の実施の形態】
第１の実施形態に係る誘電体フィルタについて、図１〜図４を参照して説明する。
図１の（Ａ）はその誘電体フィルタの外観斜視図、（Ｂ）は（Ａ）におけるＡ−Ａ′部分の断面図、（Ｃ）は部分正面図である。また、図２は同誘電体フィルタの三面図である。その（Ａ）は背面図、（Ｂ）は上面図（Ｃ）は正面図である。但し、図２の（Ｂ）で現れている面が実装基板への実装面である。
【００１５】
ここで１は、外形が略六面体形状を成す誘電体ブロックである。この誘電体ブロック１には、その互いに対向する二面を貫通する互いに略平行な孔２ａ，２ｂ，２ｃを形成している。これらの孔２ａ，２ｂ，２ｃの内面には、それぞれ内導体を形成している。また、誘電体ブロック１の外面（六面）には外導体４を形成している。これらの孔２ａ，２ｂ，２ｃの一方の開口端おいて、内導体は外導体４に導通し、その部分を内導体の短絡端としている。また、その反対側の開口端から孔内部へ所定深さだけ内導体非形成部ｇを設けて、この部分で内導体を外導体４から開放している。すなわちこの部分を開放端としている。
【００１６】
図１の（Ａ）における上面が実装基板への実装面である。このように、誘電体ブロック１の実装面から孔２ａ，２ｂ，２ｃの一方の開口面（図における左手前の端面）にかけて、外導体の非形成部を設けて、外導体４および内導体３ａ，３ｃから絶縁した入出力電極５ａ，５ｃをそれぞれ形成している。また、入出力電極５ａ，５ｃの端縁の一部が、孔２ａ，２ｃの内導体非形成部ｇを設けた側の開口端を、その周縁に沿って所定長に亘って臨むように、入出力電極５ａ，５ｃの形成範囲を定めている。以下、この入出力電極が臨む開口端周縁に沿った長さを「周長」と言う。
【００１７】
このようにして、内導体３ａ，３ｃの開放端付近と入出力電極５ａ，５ｃとの間にそれぞれ外部結合容量としての静電容量を生じさせている。
【００１８】
従って、例えば入出力電極５ｃについて示すと、図１の（Ｃ）のように、入出力電極５ｃの形成範囲に応じて、その端縁の一部が臨む孔２ｃの開口端の周長Ｌ′は変化する。内導体３ｃの開放端付近と入出力電極５ｃとの間に生じる静電容量は、周長Ｌ′が長くなるほど大きくなる。
【００１９】
図４は、この周長Ｌ′に対する外部結合容量の関係を示している。ここでＬ′＝０の時の外部結合容量は、実装面および孔開口面の入出力電極５ａ，５ｃと内導体の開放端付近との間に生じる静電容量である。入出力電極５ａ，５ｃの端縁の一部が臨む孔開口端の周長Ｌ′が小さい間は、そのＬ′の変化に対する外部結合容量の変化が大きい。従って、入出力電極５ａ，５ｃの形成範囲によって比較的広い範囲に亘って外部結合容量を定めることができる。
【００２０】
図３はこの誘電体フィルタの等価回路図である。ここでＲａ，Ｒｂ，Ｒｃは、孔２ａ，２ｂ，２ｃによる共振器である。すなわち内導体３ａ，３ｂ，３ｃ、外導体４およびその間の誘電体ブロック１による共振器である。Ｃｅは上記外部結合容量である。孔２ａ，２ｂ，２ｃは開放端側の内径を太く、短絡端の内径を細くしたステップ孔形状であるので、隣接共振器間が容量性結合する。
【００２１】
このようにして上記周長Ｌ′によって所定の外部結合容量Ｃｅを定めることによって、内導体３ａ，３ｃの軸長（共振器長）を変えることなく所望のフィルタ特性を得る。すなわち、フィルタ特性が所定範囲内に収まるように入出力電極５ａ，５ｃの形成範囲を定める。例えば先行試験によりフィルタを作製し、そのフィルタ特性の測定により、所望のフィルタ特性を得るための入出力電極５ａ，５ｃの形成範囲を定め、量産時にはその定めた形成範囲に入出力電極５ａ，５ｃを形成すればよい。
【００２２】
図１に示す構造の誘電体ブロックで２ＧＨｚ帯の帯域通過フィルタを構成する場合の各部の寸法等は次のとおりである。
誘電体ブロックの比誘電率：４７
厚み：２［ｍｍ］
幅：６［ｍｍ］
軸長：５［ｍｍ］
孔径：１．０［ｍｍ］
内導体非形成部の幅：０．３［ｍｍ］
図４（Ｃ）に示すＬ：０．６〜１．０［ｍｍ］
入出力電極形成のための外導体非形成部の幅：０．２〜０．５［ｍｍ］
次に、第２の実施形態に係る誘電体フィルタについて、図５および図６を参照して説明する。
図５は４つのタイプの誘電体フィルタについて、それぞれの外観斜視図を示している。これらのいずれの図においても上面が実装面である。図５の（Ａ）は、図１の（Ａ）に示した状態から、入出力電極５ａを孔２ｂから遠ざかる方向に、その形成範囲を定めた例である。また図５の（Ｂ）は、入出力電極５ａを図５の（Ａ）に示した状態から、実装面の対向面方向へ延ばした例である。このように入出力電極の形成範囲を定めても、その入出力電極５ａの端縁の一部が臨む孔開口部の周長が変化するので、同様にして外部結合容量を定めることができる。また、入出力電極の形成範囲を、隣接する孔から遠ざかる方向へずらせることにより、孔間隔が狭い場合でも、入出力電極の形成が可能となる。
【００２３】
図５の（Ｃ）に示す例は、図１の（Ａ）に示した状態から、入出力電極５ｃを孔２ａ，２ｂ，２ｃの配列方向に沿って延ばした例である。また、図５の（Ｄ）は、更に実装面と孔開口面に対して共に垂直な面にまで入出力電極５ｃを形成している。このように孔２ａ，２ｂ，２ｃの配列方向に入出力電極を延ばした場合には、前記周長は変化しないが、孔２ｃ内面の内導体の開放端付近と入出力電極５ｃとの間の静電容量が増大するので、このことによって外部結合容量を微調整することができる。
【００２４】
この図５に示した例でも、第１の実施形態の場合と同様に、誘電体セラミック材料の成型により得た誘電体ブロック１に対して内導体３ａ，３ｂ，３ｃ、外導体４、入出力電極５ａ，５ｃを形成することによって誘電体フィルタを構成し、そのフィルタ特性が所定範囲内に収まるように入出力電極５ａ，５ｃの形成範囲を定めればよい。
【００２５】
図６は孔の開口面を見た部分正面図であり、入出力電極の形成範囲の異なる２つの例について示している。図６の（Ａ）に示す例では、入出力電極５ｃの端縁の一部が臨む孔２ｃ開口端の周長が半周以上あるが、図６の（Ｂ）に示す例では、入出力電極５ｃの形成範囲を縮小することによって、上記周長を短くしている。このように周長は半周以上に亘って形成してもよい。また、予め入出力電極の形成範囲を広めにしておき、外部結合容量によってフィルタ特性を調整する際に、図６に示すように入出力電極の端縁を部分的に削除することにより、調整するようにしてもよい。
【００２６】
このように入出力電極の一部を切削することによって外部結合容量を調整すれば、外部結合容量の微調整が可能となり、入出力電極の形成範囲の寸法精度が低くても、調整後には所望のフィルタ特性を高精度に得ることができる。
【００２７】
図５に示した形状によれば、実装基板上の入出力電極の位置およびサイズが決定している場合においても、所望の外部結合を得ながら、入出力電極５ａ，５ｃの形成位置を実装基板上の入出力電極の位置に合わせることができる。従って、共通の誘電体ブロックを用いて、フィルタ特性の異なった多種類の誘電体フィルタを製造することができる。言い換えると、要求されるフィルタ特性に応じて誘電体ブロックの設計をやり直す必要が無く、製造コストを大幅に削減することができる。
【００２８】
次に、第３の実施形態に係る誘電体フィルタについて、図７および図８を参照して説明する。
図７は２つの例について誘電体フィルタの外観斜視図を示している。この２つの誘電体フィルタの何れについても、誘電体ブロックの形状、孔２ａ，２ｂ，２ｃ内面の内導体および外面の外導体４の基本的な構成は第１・第２の実施形態で示したものと同様である。但し、入出力電極５ａは、その端縁の一部が孔２ａの開口端に臨むように形成している。また、もう１つの入出力電極５ｂｃは、その端縁の一部が孔２ｂ，２ｃに臨むように形成している。
【００２９】
図８は、これらの誘電体フィルタの等価回路図である。ここでＲａ，Ｒｂ，Ｒｃは、孔２ａ，２ｂ，２ｃによる共振器である。孔２ａ，２ｂ，２ｃは開放端側の内径を太く、短絡端の内径を細くしたステップ孔形状であるので、隣接共振器間が容量性結合する。Ｃｅは外部結合容量である。また、Ｃｍは入出力電極５ｂｃと共振器Ｒｂの開放端（孔２ｂ内面の内導体の開放端付近）との間に生じる外部結合容量である。このように入出力電極５ｂｃは、共振器間をマルチパス結合させるマルチパス電極として作用する。これにより、所望の周波数位置に減衰極を有する帯域通過フィルタとして作用させることができる。
【００３０】
図７の（Ａ）と（Ｂ）の違いは、（Ａ）が、実装面（図における上面）においても、２つの孔開口端に一部が臨む入出力電極５ｂｃを広い幅に亘って形成しているのに対し、（Ｂ）はそれを狭くしていることである。（Ａ）のような形状であれば、入出力電極の形成が容易となる。（Ｂ）に示した形状では、実装面における入出力電極のサイズを変えることなく上記マルチパス電極を構成することができる。
【００３１】
次に、第４の実施形態に係る誘電体フィルタについて、図９を参照して説明する。
図９は誘電体フィルタの斜視図である。ここで１は、外形が略六面体形状を成す誘電体ブロックであり、内面にそれぞれ内導体を形成した孔２ａ，２ｂ，２ｃを平行に配列している。誘電体ブロックの外面には、図中ｓで示す面を除く五面に外導体４を形成している。誘電体ブロック１の実装面（図における上面）から孔２ａ，２ｂ，２ｃの一方の開口面ｓにかけて入出力電極５ａ，５ｃを形成している。入出力電極５ａ，５ｃの端縁の一部が孔２ａ，２ｃの開口端に臨むように形成している。誘電体ブロック１の開口面ｓには外導体４から絶縁状態で結合用電極６を形成している。この結合用電極６は、孔２ｂの内面に形成した内導体に導通している。孔２ａ，２ｃの内面に形成した内導体の開放端付近と結合用電極６との間に静電容量が生じるので、この容量によって隣接共振器間が容量性結合する。このような構造によれば、孔２ａ，２ｂ，２ｃは、その内径が開放端側と短絡端側とで等しいストレート孔であってもよい。
【００３２】
図９に示した例では、誘電体ブロック１の孔開口面に結合用電極６を形成したが、外導体４を設けない孔の開口面に入出力電極以外に他の電極を形成しないタイプの誘電体フィルタについても同様に適用できる。
【００３３】
次に、第５の実施形態に係る誘電体フィルタについて、図１０を参照して説明する。
図１０は、構造の異なる３つの誘電体フィルタの三面図である。（Ａ），（Ｂ），（Ｃ）において、上部は背面図、中央は上面図、下部は正面図である。
【００３４】
（Ａ）に示す例では、六面体形状の誘電体ブロックに４つの孔２ａ〜２ｄを設け、それらの内面に内導体を形成している。誘電体ブロックの外面（六面）には外導体４を形成している。孔２ａ，２ｄのそれぞれの一方の開口端から孔内部へ所定深さだけ内導体非形成部ｇを設けている。また孔２ｂ，２ｃの内部には、一方の開口端から所定深さだけ奥まった位置に内導体非形成部ｇを設けている。また、誘電体ブロックの外面には入出力電極５ａ，５ｄを形成している。
【００３５】
この（Ａ）に示した例では、内導体非形成部ｇにストレー容量が生じ、隣接共振器間がそれぞれ誘導性結合する。
このように、入出力電極５ａ，５ｄの端縁の一部が開口端に臨む孔２ａ，２ｄ以外の孔（２ｂ，２ｃ）については、内導体非形成部ｇを孔の奥まった位置に形成してもよい。また、内面に内導体を形成する孔（共振器孔）は４つ以上であってもよい。
【００３６】
図１０の（Ｂ）に示す例では、略六面体形状の誘電体ブロックの内部に孔２ａ，２ｂを設けている。孔２ａ，２ｂの内面には、それぞれ内導体を形成していて、それぞれの一方の開口端から孔内部へ所定深さだけ内導体非形成部ｇを設け、他方の開口端で外導体４に導通（短絡）させている。この２つの孔２ａ，２ｂの内面に形成した内導体の開放端と短絡端とが互いに逆向きとなるように内導体非形成部ｇを設けている。また、内導体の開放端付近との間で静電容量が生じる入出力電極５ａ，５ｂを、これまでに示した各実施形態の場合と同様に形成している。このようにして、１／４波長共振器をインターデジタル結合させてもよい。
【００３７】
図１０の（Ｃ）の例では、孔２ａ，２ｂのそれぞれの両方の開口端から孔内部へ所定深さだけ内導体非形成部ｇを設けている。これにより、２つの半波長共振器を構成している。内導体非形成部ｇ部分にはストレー容量が生じるので、この２つの共振器間は誘導性結合する。この例では、２つの孔２ａ，２ｂをそれぞれストレート孔としたが、開放端側の内径を太くし、等価的な短絡端側である中央部を細くすることによって、共振器間を容量性結合させることもできる。このように半波長共振器を構成する場合にも適用できる。
【００３８】
次に、第６の実施形態に係る誘電体デュプレクサについて、図１１を参照して説明する。
図１１は誘電体デュプレクサの三面図であり、（Ａ）は背面図、（Ｂ）は上面図、（Ｃ）は正面図である。但し、（Ｂ）は実装基板への実装面側から見た上面図である。外形が略六面体形状を成す誘電体ブロックの内部には、対向する２面を貫通する互いに略平行な複数の孔２ａ〜２ｇを配列している。これらの孔２ａ〜２ｇの内面にはそれぞれ内導体を形成している。誘電体ブロックの外面（六面）には外導体４を形成している。孔２ａ〜２ｇの一方の開口端から孔内部へ所定深さだけ内導体非形成部ｇを設けている。この内導体非形成部ｇ部分を内導体の開放端としている。誘電体ブロックの実装面から孔開口面にかけて入出力電極５ａ，５ｃｄ，５ｇをそれぞれ形成している。入出力電極５ａは、その端縁の一部が孔２ａの開口端に臨むように形成している。入出力電極５ｃｄは、その端縁の一部が孔２ｃ，２ｄの開口端に臨むように形成している。更に、入出力電極５ｇは、その端縁の一部が孔２ｇの開口端に臨むように形成している。
【００３９】
入出力電極５ａは孔２ａによる共振器と容量結合する。入出力電極５ｃｄは孔２ｃ，２ｄによる共振器とそれぞれ容量結合する。更に入出力電極５ｇは孔２ｇによる共振器と容量結合する。
【００４０】
孔２ａ〜２ｃによる３つの共振器は誘導性結合して送信フィルタとして作用する。また、孔２ｄ〜２ｇによる４つの共振器は誘導性結合して受信フィルタとして作用する。このようにして、入出力電極５ａを送信信号入力端子、入出力電極５ｇを受信信号出力端子、入出力電極５ｃｄをアンテナ端子とする、送受共用器としての誘電体デュプレクサとして作用する。
【００４１】
次に、第７の実施形態に係る誘電体フィルタについて、図１２を参照して説明する。
図１２は誘電体フィルタの外観斜視図である。図１に示した誘電体フィルタと異なり、入出力電極５ａ，５ｃの孔開口面（図における左手前の面）での延びる向きが互いに非平行としている。このことにより、実装面（図における上面）での入出力電極５ａ，５ｃの位置を実装基板上の入出力電極の間隔に合わせている。このような構造であっても同様に適用できる。
【００４２】
次に、第８の実施形態に係る通信装置の構成を、図１３を参照して説明する。図１３においてＡＮＴは送受信アンテナ、ＤＰＸはデュプレクサ、ＢＰＦａ，ＢＰＦｂはそれぞれ帯域通過フィルタ、ＡＭＰａ，ＡＭＰｂはそれぞれ増幅回路、ＭＩＸａ，ＭＩＸｂはそれぞれミキサ、ＯＳＣはオシレータ、ＳＹＮは周波数シンセサイザである。
【００４３】
ＭＩＸａは送信中間周波信号ＩＦと、ＳＹＮから出力された信号とを混合し、ＢＰＦａはＭＩＸａからの混合出力信号のうち送信周波数帯域のみを通過させ、ＡＭＰａはこれを電力増幅してＤＰＸを介しＡＮＴより送信する。ＡＭＰｂはＤＰＸから取り出した受信信号を増幅する。ＢＰＦｂはＡＭＰｂから出力される受信信号のうち受信周波数帯域のみを通過させる。ＭＩＸｂは、ＳＹＮから出力された周波数信号と受信信号とをミキシングして受信中間周波信号ＩＦを出力する。
【００４４】
図１３に示したデュプレクサＤＰＸ部分には、第６の実施形態で示した誘電体デュプレクサを用いる。また帯域通過フィルタＢＰＦａ，ＢＰＦｂ，ＢＰＦｃには、第１〜第５の実施形態で示した誘電体フィルタを用いる。
【００４５】
【発明の効果】
この発明によれば、内導体の開放端付近と入出力電極との間の静電容量が、入出力電極の端縁の一部が孔の開口端を臨む周長によって定まるので、大きな外部結合を確保するとともに、誘電体ブロック内に構成する共振器の共振周波数とは独立して所定の外部結合が得られる。そのため、所望のフィルタ特性を備えた誘電体フィルタを容易に構成することができる。
【００４６】
また、この発明によれば、孔を３つ以上設け、入出力電極の端縁の一部を、複数の孔の内導体非形成部を設けた側の開口端をそれぞれ所定周長に亘って臨むように形成することにより、入出力電極がマルチパス電極として作用し、所望の減衰極を備えたフィルタ特性を得ることができる。
【００４７】
また、この発明によれば、前記孔の開口面に、当該開口面以外の面に形成されている外導体から絶縁された、入出力電極以外の電極を設けることにより、孔の開口面の電極で共振器間の結合が図れ、誘電体ブロックの形状を単純化することができ、誘電体ブロックの汎用性が更に高まる。
【００４８】
この発明によれば、上記所望のフィルタ特性を備えた、例えば送受共用器として作用する誘電体デュプレクサを容易に構成することができる。
【００４９】
この発明によれば、所望のフィルタ特性により例えば送信信号または受信信号に対しての所望の信号処理を行う通信装置が得られる。
【図面の簡単な説明】
【図１】第１の実施形態に係る誘電体フィルタの構成を示す図
【図２】同誘電体フィルタの三面図
【図３】同誘電体フィルタの等価回路図
【図４】同誘電体フィルタにおける入出力電極の端縁の一部が臨む孔開口端の周長Ｌ′と外部結合容量との関係を示す図
【図５】第２の実施形態に係る誘電体フィルタの外観斜視図
【図６】誘電体フィルタの外部結合容量の調整方法を示す図
【図７】第３の実施形態に係る誘電体フィルタの外観斜視図
【図８】同誘電体フィルタの等価回路図
【図９】第４の実施形態に係る誘電体フィルタの外観斜視図
【図１０】第５の実施形態に係る誘電体フィルタの三面図
【図１１】第６の実施形態に係る誘電体デュプレクサの三面図
【図１２】第７の実施形態に係る誘電体フィルタの外観斜視図
【図１３】第８の実施形態に係る通信装置の構成を示すブロック図
【図１４】従来の誘電体フィルタの外観斜視図および断面図
【符号の説明】
１−誘電体ブロック
２−孔
３−内導体
４−外導体
５−入出力電極
６−結合用電極
ｓ−開口面
ｇ−内導体非形成部
【図１】
2004015113.tif 000003
【図２】
2004015113.tif 000004
【図３】
2004015113.tif 000005
【図４】
2004015113.tif 000006
【図５】
2004015113.tif 000007
【図６】
2004015113.tif 000008
【図７】
2004015113.tif 000009
【図８】
2004015113.tif 000010
【図９】
2004015113.tif 000011
【図１０】
2004015113.tif 000012
【図１１】
2004015113.tif 000013
【図１２】
2004015113.tif 000014
【図１３】
2004015113.tif 000015
【図１４】
2004015113.tif 000016